(57)【要約】【課題】既存の靴収納具では、靴乗せ台が平面の為、靴が滑り易い上、雨水などが外周からこぼれる。また、前部が塞がっている為、通気性が悪い。【解決手段】上下の靴乗せ台を、波板とし、外周縁に側壁を設ける。また、靴乗せ台の長辺側近傍に設けたステーで、上下の靴乗せ台を連結する。【選択図】  図２
2006181309.tif 000002
【特許請求の範囲】
【請求項１】
左右１足分の靴を乗せる為の、略長方形又は略長円形の靴乗せ台を、２枚上下に配置した靴収納器具において、下記のいずれか、または、全ての特徴を有する、靴収納器具。
１、略長円形または略長方形の、長辺側の縁部近傍に設けたステーまたはボルトで、上下の靴乗せ台を連結した。
２、靴乗せ台の一部または全部は、波板、格子状の板、網目状の板、表面に凹凸を設けた板、表面に複数の突起を設けた板、または粗面板などの、板状の部材である。
３、下側の靴乗せ台の裏側に、突起またはリブ等を設け、靴乗せ台を傾斜させた。
４、下側の靴乗せ台の裏側に、複数の突起またはリブ等を設け、靴乗せ台を浮かせた。
５、靴乗せ台の外周縁部近傍の、一部分または全周に、高さ１００ｍｍ以下の、上向きの側壁またはリブを設けた。また、この側壁またはリブを、着脱自在に構成した。
６、上側の靴乗せ台の、外周縁部近傍の、一部分または全周に、長さ１００ｍｍ以下の、下向きの側壁またはリブを設けた。また、この側壁またはリブを、着脱自在に構成した。
７、靴乗せ台の短辺側端部近傍に、突起、リング、粗面などの、つまみ形状を設けた。また、この突起、つまみ形状などの根元近傍を、折り曲げ可能または、着脱可能に構成した。
８、複数の棒状部材や細長い板状部材を、並べて装置する事で、靴乗せ台を構成した。
９、靴乗せ台に、１ヶ所以上の貫通孔または、スリットを設けた。
【請求項２】
下側の靴乗せ台は、上側の靴乗せ台よりも長さが短い、または、面積が小さい事を特徴とする、請求項１に記載の、靴収納器具。下側の靴乗せ台の面積が小さいとは、靴乗せ台の一部分に切り欠きを設けた構成や、ステーの下部を折り曲げて小さな平面部を作り、その平面部を下側の靴乗せ台とした構成も含む。
【請求項３】
ステーの上部と下部は、どちらか一方または両方が、靴乗せ台に着脱自在に取り付けられている事を特徴とする、請求項１または２に記載の、靴収納器具。着脱自在とは、凹部や貫通孔やスリットなどに、相手側の凸部を差し込む構成や、ネジ、ピン等の一般的な嵌合形態を指す。
【請求項４】
上側の靴乗せ台は、下側の靴乗せ台に対して、０度から６０度の範囲で傾斜している事を特徴とする、請求項１から３に記載の、靴収納器具。ステーとの連結部の取り付け角度を変更する構成により、傾斜角度を可変式とした構造も含む。
【発明の詳細な説明】
【技術分野】
【０００１】本発明は、靴を収納する為の器具であり、一定のスペースに、より多くの靴を収納可能にする事を目的とする。特に、左右１足の靴を、上下に配置する構造の収納器具に関する。
【背景技術】
【０００２】通常の靴箱に、より多くの靴を収納する為には、左右１足の靴を上下に配置する方法が一般的に知られており、代表的なものとしては、登録実用新案第３０９９２６１号が有る。
【発明の開示】
【発明が解決しようとしている課題】
【０００３】登録実用新案第３０９９２６１号の構造では、靴乗せ台はパネル（即ち、平滑な板）に限定されている為、靴を乗せた時に非常に滑り易く、不安定である。
また、上記実用新案の構造では、前部が塞がっている為、通気性が悪い。
【課題を解決する為の手段】
【０００４】靴乗せ台を、波板や、粗面の板状部材とし、上下の靴乗せ台は、その側面近傍に設けたステーで連結する。
【発明の効果】
【０００５】靴乗せ台を上下に配置し、上側の靴乗せ台を傾斜させた場合でも、波板形状により、靴が滑り落ちる事は無い。波形状は、一定間隔の波にする必要は無く、波の高さや間隔が不規則な波板を使用すれば、さらに機能は高まる。
また、上下の靴乗せ台を、側面で連結している為、通気性が良く、靴箱内に並べて設置した時も、正面から下側の靴が見える為、安心であり、下側の靴だけを取り出す事も可能である。
本発明品を靴箱から取り出す時は、手前側、即ち、短辺側の端部に、突起またはツマミ等を設けてある為、簡単に引っ張り出す事ができる。
さらに、ステーは着脱自在なので、出荷運搬時や未使用時は、分解してコンパクトに保管する事ができる。
【発明を実施するための最良の形態】
【０００６】略長方形または、略長円形の波板を、２枚上下に配置する。上下の波板は、その長辺側の近傍に、着脱自在に設けたステーで連結する。
【実施例】
【０００７】図１は、本発明品の上面図を表す。略長円形の波板で構成された、上側の靴乗せ台１を表し、図の左側を手前側、図の右側を奥側として、靴箱内に装置する。
図２は、本発明品の側面図を表すが、波板形状は省略し、平板として記載してある。下側の靴乗せ台２と、上側の靴乗せ台１の、長辺近傍の両側に設けたステー３により、上下の靴乗せ台１と２が連結されている。
以上の構成による本発明品を靴箱の中に置き、図２の左側を手前にして、複数個並べる。その状態で、左右一足の靴の片方を上側の靴乗せ台１に置き、他方を下側の靴乗せ台２に置く。この様に靴を保管すれば、靴箱の中の空間を無駄なく使え、占有面積が半分で済む為、本発明品を使わない場合に比べ、２倍の量を収納可能となる。
また、靴乗せ台が波板なので靴が滑り難く、また、靴についた土や泥を落とす事ができる。また、靴乗せ台の外縁部の全周に側壁を設けておけば、雨水が付いた靴を置いても、水がこぼれるのを防ぐ事ができる上、靴が靴乗せ台から脱落するのを防ぐ事もできる。
本発明品を靴箱から取り出す時は、つまみ７を引っ張れば、簡単に取り出す事ができる。図３は、本発明品の下面図である。突起６は、本発明品を浮かせる為の足で、通気性を確保する為に用いる。スリット５の機能については、後述する。以上が、請求項１の実施例である。【０００８】請求項２の実施例は、図２を使って説明する。上側の靴乗せ台１は、靴に付いた土や泥が、下側の靴乗せ台２に乗せた靴の上に落ちる事を防ぐ為、靴の長さと同等以上の長さが必要であるが、下側の靴乗せ台は、例えばステー２を取り付ける部分より後側は、省略する事が可能である。即ち、図２で、下側の靴乗せ台２の、右半分を省略した構造である。この構造により、コストを下げる事が可能で、また、出荷、運搬時に、複数の本発明品をコンパクトに梱包する事も可能となる。以上が、請求項２の実施例である。【０００９】上下の靴乗せ台と、ステー３は、差し込み、圧入、凹凸による嵌め込み等の方法により、着脱自在に連結する。この構成により、出荷、運搬時は、分解できるので、非常にコンパクトに梱包する事ができる。図１と図２では、ステー３の下部は、靴乗せ台２の凹部に嵌めめこまれており、ステー３の上部は、靴乗せ台１に設けたスリットに差し込まれている為、上面図である図１に、差し込まれたステー３の端部が見えている。以上が、請求項３の実施例である。【００１０】請求項４の実施例も、図２を使って説明する。上側の靴乗せ台１は、図２の左側、即ち、靴箱内に並べた時の手前側が下がる様に、傾斜している。この構成により、ハイヒール等を保管する際も、下側の靴乗せ台２には、つま先側を手前にし、上側の靴乗せ台１には、つま先を奥側に向けてハイヒールを置く事で、空間を無駄なく使用する事ができる。
また、ステー３と靴乗せ台１の連結部は、差し込み後の位置決め用の凹凸を複数設ける方法などにより、差し込む向きによって上側の靴乗せ台１の傾斜角度を変更可能に構成すれば、靴の形状が大きく変わった場合でも使用できる。
尚、上側の靴乗せ台１を傾斜させると、靴が滑り落ちるが、請求項１に記載の通り、靴乗せ台１の外縁部に、側壁を設けてあるので、滑り落ちる事は無い。この側壁は、靴乗せ台の全周に無くても良く、図２の左側、即ち手前側に、小さなリブ４を立てるだけでも機能を果たす事ができる。このリブ４を着脱式にすれば、運搬や梱包の時にも邪魔にならず、また、靴乗せ台１に一体成形した時は、分解して裏返し、靴乗せ台２に設けたスリット５に嵌合するように構成しても良い。以上が、請求項４の実施例である。
【産業上の利用可能性】
【００１１】本発明によれば、容積が限られている靴箱の無駄な空間を有効利用し、約２倍の収納量を確保する事ができる。また、先願の、登録実用新案第３０９９２６１号に対して利便性が高く、梱包・運搬コストを下げる事も可能となる。
【図面の簡単な説明】
【００１２】
【図１】本発明品の、上面図である。
【図２】本発明品の、側面図である。
【図３】本発明品の、下面図である。
【符号の説明】
【００１３】１、上側の、靴乗せ台
２、下側の、靴乗せ台
３、上下の靴乗せ台を連結するステー
４、リブ
５、スリット
６、突起
７、つまみ
【図１】
2006181309.tif 000003
【図２】
2006181309.tif 000004
【図３】
2006181309.tif 000005